(57)【要約】  【課題】  記憶させたデータを非接触で読み取ることができる半導体チップを応用して、画質劣化を抑えた画像形成を実現する画像処理システムを提供する。  【解決手段】  コピー装置１は、原稿画像とこの原稿画像を特定するための識別子とを関連付けて記憶し、この識別子を記憶したＩＣチップ３を原稿用紙４０に付する。コピー装置１は、この原稿用紙４０のコピーを指示されると、原稿用紙に付されたＩＣチップ３から原稿画像の識別子を読み取り、この識別子に対応した原稿画像のデータを読み出し原稿画像を印刷する。【選択図】図８
2005229266.tif 000002
【特許請求の範囲】
【請求項１】
形成すべき画像データを像形成装置に提供する画像処理装置であって、
原稿に付されたデータ記憶装置から、情報の識別データを読み取るデータ読取手段と、
前記データ読取手段により読み取られた識別データに対応する情報を取得する情報取得手段と、
前記情報取得手段により取得された情報を前記像形成装置に出力する出力手段と
を有する画像処理装置。
【請求項２】
原稿に表示された画像を読み取る画像読取手段と、
この原稿にデータ記憶装置が付されている場合に、前記情報取得手段により取得された情報を出力し、この原稿にデータ記憶装置が付されていない場合に、前記画像読取手段により読み取られた画像データを出力するよう前記出力手段を制御する制御手段と
をさらに有し、
前記出力手段は、前記制御手段の制御に応じて、前記情報取得手段により取得された情報、又は、前記画像読取手段により読み取られた画像データを前記像形成装置に出力する
請求項１に記載の画像処理装置。
【請求項３】
原稿に付されたデータ記憶装置には、この原稿に表示される原稿画像の識別データが記憶されており、
前記情報取得手段は、前記データ読取手段により読み取られた識別データに対応する原稿画像のデータを取得し、
前記出力手段は、前記情報取得手段により取得された原稿画像のデータを前記像形成装置に出力する
請求項１又は２に記載の画像処理装置。
【請求項４】
形成すべき画像データを像形成装置に提供する画像処理装置であって、
原稿に表示された画像を読み取る画像読取手段と、
この原稿に付されたデータ記憶装置から、情報のデータを読み取るデータ読取手段と、
前記画像読取手段により読み取られた画像データ、又は、前記データ読取手段により読み取られた情報のデータを前記像形成装置に出力する出力手段と、
この原稿にデータ記憶装置が付されている場合に、前記データ読取手段により読み取られた情報のデータを出力するよう前記出力手段を制御する制御手段と
を有する画像処理装置。
【請求項５】
利用者に提供すべき情報を表示する表示手段
をさらに有し、
前記制御手段は、原稿にデータ記憶装置が付されていない場合に、前記画像読取手段により読み取られた原稿の画像データを出力させ、原稿にデータ記憶装置が付されている場合に、このデータ記憶装置から読み取られた識別データ、又は、この識別データに基づいて画像が形成される旨を表示するよう前記表示手段を制御する
請求項２又は４に記載の画像処理装置。
【請求項６】
画像が表示された画像表示部材と、画像形成装置とを有する画像処理システムであって、
前記画像表示部材は、
情報の識別データを記憶するデータ記憶装置
を有し、
前記画像形成装置は、
前記画像表示部材に表示された画像を読み取る画像読取手段と、
この画像表示部材に付されたデータ記憶装置から、情報の識別データを読み取るデータ読取手段と、
前記データ読取手段により読み取られた識別データに対応する情報を取得する情報取得手段と、
前記画像読取手段により読み取られた画像データ、又は、前記情報取得手段により取得された情報に基づいて、記録媒体に画像を形成する像形成手段と、
この画像表示部材にデータ記憶装置が付されている場合に、前記情報取得手段により取得された情報を記録媒体に形成するよう前記像形成手段を制御する制御手段と
を有する
画像処理システム。
【請求項７】
画像表示部材に付されたデータ記憶装置を用いて画像を形成する画像形成方法であって、
画像表示部材に表示された情報と、この情報を特定するための識別データとを関連付けて記憶し、
画像表示部材に付された前記データ記憶装置にこの画像表示部材に表示された情報の識別データが記憶されている場合に、このデータ記憶装置から識別データを読み取り、
読み取られた識別データに対応する情報を読み出し、
読み出された情報を記録媒体に形成する
画像形成方法。
【請求項８】
前記識別データに対応する情報が読み出される場合に、この情報が読み出された旨を前記データ記憶装置に書き込む
請求項７に記載の画像形成方法。
【請求項９】
コンピュータを含む画像処理装置において、
原稿にデータ記憶装置が付されている場合に、このデータ記憶装置から情報の識別データを読み取るステップと、
読み取られた識別データに対応する情報を、識別データと情報とを予め関連付けて記憶するデータベースから取得するステップと、
この原稿にデータ記憶装置が付されている場合に、識別データに基づいて取得された情報を出力するステップと
を前記画像処理装置に実行させるプログラム。
【発明の詳細な説明】
【技術分野】
【０００１】
本発明は、原稿に付された非接触メモリを用いて、原稿から読み取られた画像を処理する画像処理システムおよびその方法に関する。
【背景技術】
【０００２】
例えば、非特許文献１は、記憶したデータを、外部から非接触で読み取ることができる小型の半導体チップ（「ミューチップ」）を開示する。
また、特許文献１乃至特許文献６は、上述の半導体チップの応用例を開示する。
【非特許文献１】MYCOM  PC  WEB,  NEWS  HEADLINE、２００２年７月５日、＜  URL  ：http://pcweb.mycom.co.jp/news/2001/07/05/22.html＞
【特許文献１】特開２００１−２２９１９９号公報
【特許文献２】特開２０００−２８５２０３号公報
【特許文献３】特開２００１−１３４６７２号公報
【特許文献４】特開２００１−２８３０１１号公報
【特許文献５】特開２００１−１４８０００号公報
【特許文献６】特開２００１−２６０５８０号公報
【発明の開示】
【発明が解決しようとする課題】
【０００３】
本発明は、上述した背景からなされたものであり、記憶させたデータを非接触で読み取ることができる半導体チップを応用して、画質劣化を抑えた画像形成を実現する画像処理システムを提供することを目的とする。
【課題を解決するための手段】
【０００４】
［画像処理装置］
上記目的を達成するために、本発明にかかる画像処理装置は、形成すべき画像データを像形成装置に提供する画像処理装置であって、原稿に付されたデータ記憶装置から、情報の識別データを読み取るデータ読取手段と、前記データ読取手段により読み取られた識別データに対応する情報を取得する情報取得手段と、前記情報取得手段により取得された情報を前記像形成装置に出力する出力手段とを有する。
【０００５】
好適には、原稿に表示された画像を読み取る画像読取手段と、この原稿にデータ記憶装置が付されている場合に、前記情報取得手段により取得された情報を出力し、この原稿にデータ記憶装置が付されていない場合に、前記画像読取手段により読み取られた画像データを出力するよう前記出力手段を制御する制御手段とをさらに有し、前記出力手段は、前記制御手段の制御に応じて、前記情報取得手段により取得された情報、又は、前記画像読取手段により読み取られた画像データを前記像形成装置に出力する。
好適には、原稿に付されたデータ記憶装置には、この原稿に表示される原稿画像の識別データが記憶されており、前記情報取得手段は、前記データ読取手段により読み取られた識別データに対応する原稿画像のデータを取得し、前記出力手段は、前記情報取得手段により取得された原稿画像のデータを前記像形成装置に出力する。
【０００６】
また、本発明にかかる画像処理装置は、形成すべき画像データを像形成装置に提供する画像処理装置であって、原稿に表示された画像を読み取る画像読取手段と、この原稿に付されたデータ記憶装置から、情報のデータを読み取るデータ読取手段と、前記画像読取手段により読み取られた画像データ、又は、前記データ読取手段により読み取られた情報のデータを前記像形成装置に出力する出力手段と、この原稿にデータ記憶装置が付されている場合に、前記データ読取手段により読み取られた情報のデータを出力するよう前記出力手段を制御する制御手段とを有する。
【０００７】
好適には、利用者に提供すべき情報を表示する表示手段をさらに有し、前記制御手段は、原稿にデータ記憶装置が付されていない場合に、前記画像読取手段により読み取られた原稿の画像データを出力させ、原稿にデータ記憶装置が付されている場合に、このデータ記憶装置から読み取られた識別データ、又は、この識別データに基づいて画像が形成される旨を表示するよう前記表示手段を制御する。
【０００８】
［画像処理システム］
また、本発明にかかる画像処理システムは、画像が表示された画像表示部材と、画像形成装置とを有する画像処理システムであって、前記画像表示部材は、情報の識別データを記憶するデータ記憶装置を有し、前記画像形成装置は、前記画像表示部材に表示された画像を読み取る画像読取手段と、この画像表示部材に付されたデータ記憶装置から、情報の識別データを読み取るデータ読取手段と、前記データ読取手段により読み取られた識別データに対応する情報を取得する情報取得手段と、前記画像読取手段により読み取られた画像データ、又は、前記情報取得手段により取得された情報に基づいて、記録媒体に画像を形成する像形成手段と、この画像表示部材にデータ記憶装置が付されている場合に、前記情報取得手段により取得された情報を記録媒体に形成するよう前記像形成手段を制御する制御手段とを有する。
【０００９】
［画像形成方法］
また、本発明にかかる画像形成方法は、画像表示部材に付されたデータ記憶装置を用いて画像を形成する画像形成方法であって、画像表示部材に表示された情報と、この情報を特定するための識別データとを関連付けて記憶し、画像表示部材に付された前記データ記憶装置にこの画像表示部材に表示された情報の識別データが記憶されている場合に、このデータ記憶装置から識別データを読み取り、読み取られた識別データに対応する情報を読み出し、読み出された情報を記録媒体に形成する。
【００１０】
好適には、前記識別データに対応する情報が読み出される場合に、この情報が読み出された旨を前記データ記憶装置に書き込む。
【００１１】
［プログラム］
また、本発明にかかるプログラムは、コンピュータを含む画像処理装置において、原稿にデータ記憶装置が付されている場合に、このデータ記憶装置から情報の識別データを読み取るステップと、読み取られた識別データに対応する情報を、識別データと情報とを予め関連付けて記憶するデータベースから取得するステップと、この原稿にデータ記憶装置が付されている場合に、識別データに基づいて取得された情報を出力するステップとを前記画像処理装置に実行させる。
【発明の効果】
【００１２】
本発明の画像処理システムによれば、複写の繰返しによる画質劣化を抑制することができる。
【発明を実施するための最良の形態】
【００１３】
図１は、本発明にかかる画像処理システムの概要を説明する図である。
図１に示すように、画像処理システムは、コピー装置１、ネットワーク７及びファイルサーバ９を有する。コピー装置１及びファイルサーバ９は、ＬＡＮ又はインターネットなどからなるネットワーク７を介して互いに接続する。
また、画像処理システムでは、ＩＣチップ３が付された原稿用紙４０（画像表示部材）が用いられる。ＩＣチップ３（データ記憶装置）は、電波を用いて非接触にデータの読み出しが可能な半導体である。原稿用紙４０には、原稿画像が表示され、この原稿用紙４０に付されたＩＣチップ３には、この原稿画像を識別する識別子が記憶されている。
【００１４】
ファイルサーバ９は、それぞれの原稿画像のデータを、識別子に対応付けて記憶しており、コピー装置１からの要求に応じて原稿画像のデータを提供する。
コピー装置１（画像処理装置）は、原稿用紙４０から読み取った原稿画像と、ＩＣチップ３から読み出した識別子との少なくとも一方を用いて画像を記録用紙に印刷する。より具体的には、コピー装置１は、ＩＣチップ３から識別子を読み出すと、この識別子に対応する画像データをファイルサーバ９に要求し、ファイルサーバ９から受信した原稿画像のデータを用いて原稿画像を記録用紙に印刷する。
【００１５】
また、ネットワーク７に接続されたスキャナ装置６（画像処理装置）が、原稿用紙４０に付されたＩＣチップ３から識別子を読み出し、読み出された識別子に対応する原稿画像のデータをファイルサーバ９から取得し、取得された原稿画像のデータを処理してもよい。
なお、本実施形態では、コピー装置１を画像処理装置の具体例として説明する。
【００１６】
図２は、コピー装置１のハードウェア構成を、その制御装置２を中心に例示する図である。
図２に示すように、コピー装置１は、制御装置２及びコピー装置本体１０から構成される。
制御装置２は、ＣＰＵ２０２及びメモリ２０４などを含む制御装置本体２０、通信装置２２、ＨＤＤ・ＣＤ装置などの記録装置２４、ＬＣＤ表示装置あるいはＣＲＴ表示装置及びキーボード・タッチパネルなどを含むユーザインターフェース装置（ＵＩ装置）２６、並びに、アンテナ２８０を有するＩＣチップインターフェース（ＩＣチップＩＦ）２８から構成される。
コピー装置本体１０は、用紙トレイ部、ゼログラフィなどにより画像を印刷するプリントエンジン、原稿用紙４０の画像を読み取るスキャナ、及び、原稿用紙４０を画像読取り位置に送る原稿送り装置などから構成される。
また、コピー装置本体１０において、ＩＣチップＩＦ２８及びアンテナ２８０は、原稿送り装置に配設される。すなわち、ＩＣチップＩＦ２８及びアンテナ２８０は、原稿送り装置における原稿用紙４０の搬送経路近傍に配置され、原稿用紙４０に付されたＩＣチップ３から非接触でデータを読み出す。
なお、制御装置２は、実際にはコピー装置本体１０の内部に収容される。
【００１７】
図３（Ａ）は、ＩＣチップ３が付された原稿用紙４０を例示し、図３（Ｂ）は、ＩＣチップ３に記憶されるデータを例示する図である。
図３（Ａ）に例示するように、原稿用紙４０の表面には、原稿画像が表されている。また、原稿用紙４０の周縁部には、ＩＣチップ３が付されている。
図３（Ｂ）に例示するように、この原稿用紙４０に付されたＩＣチップ３には、この原稿用紙４０に表された原稿画像の識別子が記憶されている。
また、ＩＣチップ３には、識別子が読み出された旨を示すアクセス情報が書き込まれる。アクセス情報には、例えば、アクセス日時（識別子を読み出した日時）、装置識別子（識別子を読み出したコピー装置１の識別情報）及び印刷枚数（識別子に基づいて印刷された原稿画像の枚数）などが含まれる。
【００１８】
［ＩＣチップ３・ＩＣチップＩＦ２８］
図４は、図３に示したＩＣチップ３の構成を示す図である。
図５は、図２に示したＩＣチップＩＦ２８の構成を示す図である。
図４に示すように、ＩＣチップ３は、アンテナ３００、クロック再生回路３２０、メモリ回路３２２、データ送受信回路３２４及び電源回路３２６から構成される。
なお、原稿用紙４０のＩＣチップ３が、アンテナ２８０のごく近傍を通過することが保証されている場合には、アンテナ３００を有さないＩＣチップ３が用いられる場合がある。
【００１９】
また、図５に示すように、ＩＣチップＩＦ２８は、送信回路２８４、受信回路２８６、送受信制御回路２８２、復調回路２８８及び変調回路２９０から構成される。
以下に説明するＩＣチップ３及びＩＣチップＩＦ２８の各構成部分の動作により、ＩＣチップＩＦ２８を介して、ＩＣチップ３に情報（データ）が非接触で書き込まれ、ＩＣチップ３に記憶された情報が非接触で読み取られる。
【００２０】
ＩＣチップ３（図４）において、電源回路３２６は、アンテナ３００を介して供給される電波信号を整流して、ＩＣチップ３の各構成部分に対して、それらの動作に必要な電力を供給する。
【００２１】
クロック再生回路３２０は、アンテナ３００を介してＩＣチップＩＦ２８から供給される電波信号から、クロック信号を再生し、メモリ回路３２２及びデータ送受信回路３２４に対して出力する。
【００２２】
メモリ回路３２２は、例えば不揮発性のＲＡＭであって、クロック再生回路３２０から入力されたクロック信号に同期して、データ送受信回路３２４から入力される情報を示すデータを記憶する。
また、メモリ回路３２２は、上記クロック信号に同期して、記憶した情報を示すデータを、データ送受信回路３２４に対して出力する。
【００２３】
データ送受信回路３２４は、アンテナ３００から入力される電波信号からデータを復調し、クロック再生回路３２０から入力されるクロック信号に同期して、メモリ回路３２２に対して出力する。
また、データ送受信回路３２４は、メモリ回路３２２から入力されるデータの値に従って、ＩＣチップＩＦ２８側から供給される電波信号の反射強度を、上記クロック信号に同期して変更する。
このように、メモリ回路３２２が記憶した情報を示すデータは、ＩＣチップＩＦ２８からＩＣチップ３に対して送信された電波信号の反射信号の強度を変更することにより、ＩＣチップ３からＩＣチップＩＦ２８に対して送信される。
【００２４】
ＩＣチップＩＦ２８（図５）において、送受信制御回路２８２は、ＩＣチップＩＦ２８の各構成部分の動作を制御する。
また、送受信制御回路２８２は、制御装置本体２０（画像処理プログラム５；図６を参照して後述）から入力されるデータを、復調回路２８８に対して出力する。
また、送受信制御回路２８２は、受信回路２８６により受信され、復調回路２８８により復調されたデータを、制御装置本体２０に対して出力する。
【００２５】
変調回路２９０は、送受信制御回路２８２から入力されるデータで電波信号を変調し、送信回路２８４に対して出力する。
【００２６】
送信回路２８４は、ＩＣチップ３に記憶させるデータ及びクロック信号などを含む電波信号を、アンテナ２８０を介して、ＩＣチップ３に対して送信する。
【００２７】
受信回路２８６は、ＩＣチップ３側からの反射信号を受信し、復調回路２８８に対して出力する。
【００２８】
復調回路２８８は、受信回路２８６から入力される反射信号の変化から、ＩＣチップ３が送信したデータを復調し、送受信制御回路２８２に対して出力する。
【００２９】
［画像処理プログラム５］
図６は、制御装置２（図２）により実行され、本発明にかかる画像形成方法を実現する画像処理プログラム５の構成を示す図である。
図６に示すように、画像処理プログラム５は、画像読取部５００、ＵＩ部５１０、データ読取部５２０、制御部５３０、データ選択部５４０、情報取得部５５０、像形成制御部５６０及びデータ書込部５７０から構成される。
画像処理プログラム５は、例えば記録媒体２４０（図２）を介して制御装置２に供給され、メモリ２０４にロードされて実行される。
【００３０】
画像処理プログラム５において、画像読取部５００は、スキャナ及び原稿送り装置などコピー装置本体１０（図２）の構成部分を制御して、原稿用紙４０（図３）を搬送し、搬送された原稿用紙４０の原稿画像を読み取る。画像読取部５００は、読み取られた原稿画像のデータをデータ選択部５４０に対して出力する。
【００３１】
ＵＩ部５１０は、ＵＩ装置２６（図２）に対するユーザの操作を受け入れ、印刷開始などを示すデータを制御部５３０などに対して出力する。
また、ＵＩ部５１０は、制御部５３０からの指示に応じて、ＩＣチップ３から読み出した識別子に基づいて画像を印刷する旨をＵＩ装置２６に表示する。なお、ＵＩ部５１０は、識別子に対応する原稿画像のデータを印刷する場合に、この識別子をＵＩ装置２６に表示してもよい。
【００３２】
データ読取部５２０は、ＩＣチップＩＦ２８（図５）を制御して、原稿用紙４０に付されたＩＣチップ３（図３）から識別子のデータを読み出させる。データ読取部５２０は、読み出された識別子を制御部５３０及び情報取得部５５０に対して出力する。
【００３３】
制御部５３０は、データ読取部５２０から入力される識別子に応じて、出力すべき画像データを選択するようデータ選択部５４０を制御する。具体的には、制御部５３０は、識別子が入力された場合に、この識別子に基づいてファイルサーバ９から読み出した原稿画像のデータを像形成制御部５６０に出力するようデータ選択部５４０に指示し、識別子が入力されない場合に、画像読取部５００から入力された原稿画像のデータ（スキャン画像のデータ）を像形成制御部５６０に出力するようデータ選択部５４０に指示する。
また、制御部５３０は、識別子が入力された場合に、この識別子に基づいて原稿画像が印刷される旨、又は、この識別子をＵＩ装置２６（図２）に表示するようＵＩ部５１０を制御する。
【００３４】
データ選択部５４０は、制御部５３０の制御に応じて、画像読取部５００から入力される原稿画像のデータ（スキャン画像のデータ）と、情報取得部５５０から入力される原稿画像のデータ（識別子に基づいて取得された原稿画像のデータ）との中から、出力すべき画像データを選択し、選択された画像データを像形成制御部５６０に対して出力する。
【００３５】
情報取得部５５０は、データ読取部５２０から入力された識別子に対応する原稿か画像のデータを、ネットワーク７（図１）を介してファイルサーバ９に要求する。
また、情報取得部５５０は、ファイルサーバ９から受信した原稿画像のデータをデータ選択部５４０に対して出力する。
【００３６】
像形成制御部５６０は、プリントエンジンなどのコピー装置本体１０（図２）の構成部分を制御して、データ選択部５４０から入力された原稿画像データに基づいて、原稿画像を記録用紙に印刷させる。
【００３７】
データ書込部５７０は、ＩＣチップ３から識別子を読み出した場合に、ＩＣチップＩＦ２８（図５）を制御して、ＩＣチップ３から識別子を読み出した旨をこのＩＣチップ３に書き込む。具体的には、データ書込部５７０は、ファイルサーバ９から読み出した画像データがデータ選択部５４０により選択されたことを検知すると、アクセス日時などのアクセス情報をＩＣチップ３に書き込ませる。
【００３８】
図７は、ファイルサーバ９に記憶されるデータを例示する図である。
図７に例示するように、ファイルサーバ９は、原稿画像のデータファイル（「原稿画像Ａ」、「原稿画像Ｂ」、「原稿画像Ｃ」など）と、この原稿画像の識別子（「識別子Ａ」、「識別子Ｂ」、「識別子Ｃ」など）とを互いに対応付けて記憶する。
ファイルサーバ９は、情報取得部５５０（図６）から識別子を受信すると、受信した識別子に対応する原稿画像のデータファイルを情報取得部５５０に対して送信する。
【００３９】
［全体動作］
以下、コピー装置１の全体的な動作を説明する。
図８は、コピー装置１（画像処理プログラム５）の動作（Ｓ１０）を示すフローチャートである。
図８に示すように、ステップ１００（Ｓ１００）において、ユーザが、コピー装置１（図１）に原稿用紙４０をセットして、コピーを指示する。
ＵＩ部５１０（図６）は、コピー装置１のＵＩ装置２６（図２）を介して、コピーの指示を受け付けると、画像読取部５００は、原稿用紙４０に表示された原稿画像を読み取り、読み取られた原稿画像のデータをデータ選択部５４０に対して出力する。
【００４０】
ステップ１０２（Ｓ１０２）において、データ読取部５２０（図６）は、ＩＣチップＩＦ２８（図２）を制御して、原稿用紙４０に付されたＩＣチップ３から、識別子を読み出し、識別子が読み出された場合には、この識別子を制御部５３０及び情報取得部５５０に対して出力する。
【００４１】
ステップ１０４（Ｓ１０４）において、制御部５３０は、データ読取部５２０から識別子が入力されるか否かを判断する。
画像処理プログラム５は、識別子が入力された場合に、Ｓ１０６の処理に移行し、識別子が入力されない場合に、Ｓ１１４の処理に移行する。
【００４２】
ステップ１０６（Ｓ１０６）において、情報取得部５５０は、データ読取部５２０から入力された識別子を、ネットワーク７（図１）を介してファイルサーバ９（図１）に送信する。
ファイルサーバ９は、情報取得部５５０から受信した識別子に対応する原稿画像のデータを情報取得部５５０に送信する。
情報取得部５５０は、ファイルサーバ９から受信した原稿画像のデータをデータ選択部５４０に対して出力する。
【００４３】
ステップ１０８（Ｓ１０８）において、制御部５３０は、識別子に基づいて印刷を行う旨を表示するようＵＩ部５１０に指示する。
ＵＩ部５１０は、制御部５３０からの指示に応じて、識別子に基づいて印刷する旨のメッセージをＵＩ装置２６（図２）に表示する。
【００４４】
ステップ１１０（Ｓ１１０）において、データ書込部５７０は、ＩＣチップＩＦ２８（図２）を制御して、現在の日時、印刷枚数及びコピー装置１の識別情報をアクセス情報としてＩＣチップ３（図３）に書き込む。
【００４５】
ステップ１１２（Ｓ１１２）において、データ選択部５４０（図６）は、情報取得部５５０から入力された現像画像のデータを像形成制御部５６０に対して出力する。
像形成制御部５６０は、コピー装置本体１０（図２）の構成部分を制御して、データ選択部５４０から入力された原稿画像のデータに基づいて、原稿画像を記録用紙に印刷する。
【００４６】
ステップ１１４（Ｓ１１４）において、データ選択部５４０（図６）は、画像読取部５００から入力された現像画像のデータ（スキャン画像のデータ）を像形成制御部５６０に対して出力する。
像形成制御部５６０は、コピー装置本体１０（図２）の構成部分を制御して、データ選択部５４０から入力された原稿画像のデータに基づいて、原稿画像を記録用紙に印刷する。
【００４７】
以上説明したように、本実施形態におけるコピー装置１は、ＩＣチップ３から読み出された識別子に基づいて、原稿画像のデータを取得し、取得された原稿画像のデータに基づいて印刷する。これにより、コピーを繰り返すことによる画質劣化を防止することができる。
また、コピー装置１は、識別子に基づいて取得されたディジタルデータに基づいて印刷する場合に、その旨又は識別子をＵＩ装置２６に表示する。
また、コピー装置１は、識別子が読み出された旨をＩＣチップ３に書き込むことにより、原稿画像の利用状況を可能にする。
【００４８】
［変形例］
なお、上記実施形態では、ＩＣチップ３から読み出された識別子に基づいて原稿画像のデータを、外部のファイルサーバ９から読み出したが、これに限定されるものではなく、例えば、コピー装置１に設けられた記録装置２４（図２）から識別子に対応する原稿画像のデータを読み出してもよい。
また、ＩＣチップ３が原稿画像のデータそのものを記憶してもよい。すなわち、データ読取部５２０は、ＩＣチップＩＦ２８を制御して、ＩＣチップ３から原稿画像のデータを読み出し、読み出された原稿画像のデータを制御部５３０及びデータ選択部５４０に対して出力する。制御部５３０は、ＩＣチップ３から原稿画像のデータが読み出された場合に、ＩＣチップ３から読み出された原稿画像のデータを選択するようデータ選択部５４０に対して指示する。
【図面の簡単な説明】
【００４９】
【図１】本発明にかかる画像処理システムの概要を説明する図である。
【図２】コピー装置１のハードウェア構成を、その制御装置２を中心に例示する図である。
【図３】（Ａ）は、ＩＣチップ３が付された原稿用紙４０を例示し、（Ｂ）は、ＩＣチップ３に記憶されるデータを例示する図である。
【図４】図３に示したＩＣチップ３の構成を示す図である。
【図５】図２に示したＩＣチップＩＦ２８の構成を示す図である。
【図６】制御装置２（図２）により実行され、本発明にかかる画像処理方法を実現する画像処理プログラム５の構成を示す図である。
【図７】ファイルサーバ９に記憶されるデータを例示する図である。
【図８】コピー装置１（画像処理プログラム５）の動作（Ｓ１０）を示すフローチャートである。
【符号の説明】
【００５０】
１・・・コピー装置
２・・・制御装置
１０・・・コピー装置本体
２８・・・ＩＣチップインタフェース
５・・・画像処理プログラム
５００・・・画像読取部
５１０・・・ＵＩ部
５２０・・・データ読取部
５３０・・・制御部
５４０・・・データ選択部
５５０・・・情報取得部
５６０・・・像形成制御部
５７０・・・データ書込部
３・・・ＩＣチップ
４０・・・原稿用紙
９・・・ファイルサーバ
【図１】
2005229266.tif 000003
【図２】
2005229266.tif 000004
【図３】
2005229266.tif 000005
【図４】
2005229266.tif 000006
【図５】
2005229266.tif 000007
【図６】
2005229266.tif 000008
【図７】
2005229266.tif 000009
【図８】
2005229266.tif 000010